(57)【要約】【課題】建設済みの建物に足場を取り付ける時間を短縮する。【解決手段】  中空部２を有する押し出しセメント板１の縦張り工法において、前記セメント板１を隣合せつつ、前記足場つなぎ用金具５を受けアングル９に載せ、前記中空部２には、足場つなぎ用金具５の一部を入り込ませ、目地部にはコーキング剤７をバックアップ材８を介して充填する。前記足場つなぎ用金具はナット５ａと側面視逆さＬ字形の係止片５ｂとが接合されている。【選択図】図３
2019044482.tif 000002
【特許請求の範囲】
【請求項１】
中空部２を有する押し出しセメント板１が目地部を設けて隣合い、前記目地部には足場つなぎ用金具５が、前記中空部２に前記足場つなぎ用金具５の一部が入り込んで装着されており、前記目地部にはコーキング剤７が充填されていることを特徴とする押し出しセメント板の縦張り構造。
【請求項２】
前記足場つなぎ用金具５はナット５ａと側面視逆さＬ字形の係止片５ｂとが接合されていることを特徴とする請求項１記載の押し出しセメント板の縦張り構造。
【請求項３】
中空部２を有する押し出しセメント板１の縦張り工法であって、前記押し出しセメント板１を目地部を設けて隣合せつつ、足場つなぎ用金具５を受けアングル９に載せ、前記目地部には足場つなぎ用金具５を、前記中空部２に前記足場つなぎ用金具５の一部が入り込ませて装着し、前記目地部にはコーキング剤７を充填することを特徴とする押し出しセメント板の縦張り工法。
【請求項４】
前記足場つなぎ用金具５はナット５ａと側面視逆さＬ字形の係止片５ｂとが接合されていることを特徴とする請求項３記載の押し出しセメント板の縦張り工法。
【発明の詳細な説明】
【技術分野】
【０００１】
本発明は押し出しセメント板の縦張り構造及び押し出しセメント板の縦張り工法に関する。
【背景技術】
【０００２】
足場を組みながら押し出しセメント板を躯体等に施工する場合、隣合う押し出しセメント板に目地を設けて、躯体等に受けアングルを固定し、この受けアングルに押し出しセメント板を載せ、目地に足場つなぎ用の金具を挿入して固定し、この作業を繰り返して押し出しセメント板を積層していく。目地には止水性を確保するため、コーキング剤を充填し、足場つなぎ用の金具は埋設する。
【０００３】
ところで、建物が劣化すると修繕をする必要があり、この場合、再度足場を組んで修繕を実施するが、埋設された足場つなぎ用の金具を再利用するためコーキング剤を取り除いて行う。
【先行技術文献】
【特許文献】
【０００４】
【特許文献１】特開２０００−１７９１４８号公報
【発明の概要】
【発明が解決しようとする課題】
【０００５】
しかしながら、足場つなぎ用の金具は外部から検出することが困難である為、コーキング剤をすべて取り除く、あるいは押し出しセメント板に直接足場つなぎ用のアンカーを取り付ける必要があった。コーキング剤をすべて取り除くと、再度止水のため多量のコーキング剤を充填する必要が生じ、押し出しセメント板に直接足場つなぎ用のアンカーを取り付ける場合は押し出しセメント板の強度低下のおそれがあった。そのような背景から、いずれの場合も足場を組むのに時間を要していた。
【課題を解決するための手段】
【０００６】
中空部２を有する押し出しセメント板１が目地部を設けて隣合い、前記目地部には足場つなぎ用金具５が、前記中空部２に前記足場つなぎ用金具５の一部が入り込んで装着されており、前記目地部にはコーキング剤７が充填されている押し出しセメント板の縦張り構造とすることにより、前記の課題を解決することができる。
【発明の効果】
【０００７】
中空部を有する押し出しセメント板の中空部を利用して、足場つなぎ用金具を取り付けることにより、足場を組む際には外部から磁石を用いて足場つなぎ用金具の位置を正確に探知でき、必要な個所のコーキング剤を取り除くだけで工事ができ、材料の無駄がなく、足場を組む時間も短くてすむ。
また、押し出し成形セメント板を外壁として使用する場合、屋内側に乾式の二次防水材が配される場合が多いが、上記構造とすることで足場が二次防水材を損傷することなく、建物の水密性能を損なうことが無い。
【図面の簡単な説明】
【０００８】
【図１】本発明に係る足場つなぎ用金具の正面図。
【図２】本発明に係る足場つなぎ用金具の側面図。
【図３】本発明の押し出しセメント板の縦張り構造の側面図。
【図４】本発明の押し出しセメント板の縦張り工法を示す側面図。
【図５】本発明の押し出しセメント板の縦張り工法を示す側面図。
【図６】本発明の押し出しセメント板の縦張り工法を示す側面図。
【図７】本発明の押し出しセメント板の縦張り構造の透視正面図。
【発明を実施するための最良の形態】
【０００９】
以下、図面に基づいて詳細に説明する。図１は本発明に係る足場つなぎ用金具５の正面図、図２は側面図であり、ナット５ａと係止片５ｂが溶接により接合されている。
【００１０】
図３は押し出しセメント板１の縦張り構造を示す側面図である。足場つなぎ用金具５の係止片５ｂが受けアングル９に係止され、足場つなぎ用金具５の一部が押し出しセメント板１の中空部２に入り込み、ナット５ａの螺子溝部分が足場つなぎ金具１０が螺合できるように露出しつつ表面から奥まった位置にて目地部に装着されている。
【００１１】
目地部の奥まった位置に留めることにより、目地部にコーキング剤が充填され止水性を確保している。また、コーキング剤とナット５ａの間には樹脂発泡体などで構成されるバックアップ材８が配されており、ナット５ａの中にコーキング剤が侵入することは無い。
【００１２】
後日再び足場を組む際には目地部に沿って磁石を当てながら移動させ、磁着した個所が足場つなぎ用金具のナットの部分であり、この部分のコーキング剤を除去して足場つなぎ金具を螺合して足場を組むことができる。
【００１３】
次に押し出しセメント板の縦張り工法について図４〜図６に基づいて説明する。中空部を有する押し出しセメント板を躯体、壁面等に縦ガスケット１５を介して当設させ、背面側に横ガスケット１７を設置する。次いで横ガスケット１７の上に受けアングル９、足場つなぎ用金具５の一部が押し出しセメント板の中空部に入り込み、螺子溝が露出するように載置する。（図４）
【００１４】
次いで、足場つなぎ用金具５の上に２層目となる押し出しセメント板を足場つなぎ用金具５の一部が押し出しセメント板の中空部に入り込み、螺子溝が露出するように載置する。押し出しセメント板を固定する。次いで目地部に足場つなぎ金具１０を足場つなぎ用金具５のナット５ａに螺合させ（図５）、足場を組み、押し出しセメント板を固定する。
【００１５】
押し出しセメント板を固定が終われば、足場つなぎ金具１０を取り外しして、目地部にバックアップ材を介してコーキング剤を充填する。（図６）。３層以上積層する場合は図４〜図６の作業を切り返す。
【００１６】
図７は押し出しセメント板の縦張り構造の透視正面図であり、押し出しセメント板１を取り替える際は、コーキング剤７に沿って磁石を摺動させることにより足場つなぎ用金具５の位置を探知でき、この個所のコーキング剤７を除去して足場を組むことができる。
【符号の説明】
【００１７】
１    セメント板
２    中空部
５    足場つなぎ用金具
５ａ  ナット
５ｂ  係止片
７    コーキング剤
８    バックアップ材
９    受けアングル
１０  足場つなぎ金具
１５  縦ガスケット
１７  横ガスケット
【図１】
2019044482.tif 000003
【図２】
2019044482.tif 000004
【図３】
2019044482.tif 000005
【図４】
2019044482.tif 000006
【図５】
2019044482.tif 000007
【図６】
2019044482.tif 000008
【図７】
2019044482.tif 000009